(57)【要約】【課題】発光素子の表示設定の入力を簡略化する技術を提供する。【解決手段】設計支援装置は、配置部と、設定部とを備える。配置部は、筐体の形状情報と、筐体に配置される発光素子の配置情報とを取得し、筐体に発光素子を配置する。設定部は、発光素子が筐体を構成する部材に覆われるとき、発光素子の特性と部材の特性とに応じて、部材表面側から見た発光素子の明るさを設定する。【選択図】図１
2020009487.tif 000002
【特許請求の範囲】
【請求項１】
選択可能な発光素子の特性を記憶する記憶部と、
発光素子が部材に覆われるとき、前記部材表面側から見た発光素子の明るさの要求を受け付ける受付部と、
前記受付部が前記部材表面側から見た発光素子の明るさの要求を受け付けたとき、前記記憶部に記憶された前記選択可能な発光素子の特性と前記発光素子を覆う部材の特性とを用いて、発光素子の前記部材表面側から見た明るさを求め、前記部材表面側から見た明るさの要求に応じた発光素子を抽出する抽出部と、
を備えることを特徴とする設計支援装置。
【請求項２】
前記設計支援装置は、さらに、
筐体の形状情報と、前記筐体に配置される発光素子の配置情報とを取得し、前記筐体に前記発光素子を配置する配置部
を備えることを特徴とする請求項１に記載の設計支援装置。
【請求項３】
前記設計支援装置は、さらに、
前記発光素子が前記筐体を構成する部材に覆われるとき、前記発光素子の特性と前記部材の特性とに応じて、前記部材表面側から見た前記発光素子の明るさを設定する設定部
を備えることを特徴とする請求項２に記載の設計支援装置。
【請求項４】
前記受付部は、
前記部材表面の範囲の指定と、前記部材表面側から見た前記指定された範囲の明るさの要求とを受け付け、
前記抽出部は、
前記指定された範囲に光を照射する発光素子の中から、前記指定された範囲の明るさの要求に応じて、発光させる発光素子を抽出する
ことを特徴とする請求項１から３のいずれか一つに記載の設計支援装置。
【請求項５】
前記設計支援装置は、さらに、
前記明るさの要求に応じて、表示装置に表示する発光素子の明るさを調整する調整部
を備えることを特徴とする請求項１から４のいずれか一つに記載の設計支援装置。
【請求項６】
前記抽出部は、
前記発光素子の光学的特性と、前記発光素子と前記部材との距離と、前記部材の透過率とを取得し、前記部材表面側から見た前記発光素子の明るさを求める
ことを特徴とする請求項１から５のいずれか一つに記載の設計支援装置。
【請求項７】
前記設定部は、
前記抽出部が発光素子を抽出したとき、前記抽出された発光素子の特性と前記部材の特性とに応じて、前記部材表面側から見た前記発光素子の明るさを設定する
ことを特徴とする請求項３に記載の設計支援装置。
【請求項８】
選択可能な発光素子の特性を記憶する記憶部と、
発光素子が部材に覆われるとき、前記部材表面側から見た発光素子の色の要求を受け付ける受付部と、
前記受付部が前記部材表面側から見た発光素子の色の要求を受け付けたとき、前記記憶部に記憶された前記選択可能な発光素子の特性と前記発光素子を覆う部材の特性とを用いて、発光素子の前記部材表面側から見た色を求め、前記部材表面側から見た色の要求に応じた発光素子を抽出する抽出部と、
を備えることを特徴とする設計支援装置。
【請求項９】
前記設計支援装置は、さらに、
前記筐体の形状情報と、筐体に配置される発光素子の配置情報とを取得し、前記筐体に前記発光素子を配置する配置部
を備えることを特徴とする請求項８に記載の設計支援装置。
【請求項１０】
前記設計支援装置は、さらに、
前記発光素子が前記筐体を構成する部材に覆われるとき、前記発光素子の特性と前記部材の特性とに応じて、前記部材表面側から見た前記発光素子の色を設定する設定部
を備えることを特徴とする請求項９設計に記載の設計支援装置。
【請求項１１】
前記受付部は、
前記部材表面の範囲の指定と、前記部材表面側から見た前記指定された範囲の色の要求を受け付け、
前記抽出部は、
前記指定された範囲に光を照射する発光素子の中から、前記指定された範囲の色の要求に応じて、発光させる発光素子を抽出する
ことを特徴とする請求項８から１０のいずれか一つに記載の設計支援装置。
【請求項１２】
前記設計支援装置は、さらに、
前記色の要求に応じて、表示装置に表示する発光素子の色を調整する調整部
を備えることを特徴とする請求項８から１１のいずれか一つに記載の設計支援装置。
【請求項１３】
前記抽出部は、
前記発光素子の光学的特性と、前記部材の透過率の波長依存性とを取得し、前記部材表面側から見た前記発光素子の色を求める
ことを特徴とする請求項８から１２のいずれか一つに記載の設計支援装置。
【請求項１４】
前記設定部は、
前記抽出部が発光素子を抽出したとき、前記抽出された発光素子の特性と前記部材の特性とに応じて、前記部材表面側から見た前記発光素子の色を設定する
ことを特徴とする請求項１０に記載の設計支援装置。
【請求項１５】
選択可能な発光素子の特性を記憶する記憶部を備える設計支援装置のプロセッサによって実行される設計支援方法であって、
前記プロセッサは、
発光素子が部材に覆われるとき、前記部材表面側から見た発光素子の明るさの要求を受け付け、
前記部材表面側から見た発光素子の明るさの要求を受け付けたとき、前記記憶部に記憶された前記選択可能な発光素子の特性と前記発光素子を覆う部材の特性とを用いて、発光素子の前記部材表面側から見た明るさを求め、
前記部材表面側から見た明るさの要求に応じた発光素子を抽出する
ことを特徴とする設計支援方法。
【請求項１６】
選択可能な発光素子の特性を記憶する記憶部を備える設計支援装置のプロセッサによって実行される設計支援方法であって、
前記プロセッサは、
発光素子が部材に覆われるとき、前記部材表面側から見た発光素子の色の要求を受け付け、
前記部材表面側から見た発光素子の色の要求を受け付けたとき、前記記憶部に記憶された前記選択可能な発光素子の特性と前記発光素子を覆う部材の特性とを用いて、発光素子の前記部材表面側から見た色を求め、
前記部材表面側から見た色の要求に応じた発光素子を抽出する
ことを特徴とする設計支援方法。
【請求項１７】
選択可能な発光素子の特性を記憶する記憶部を備える設計支援装置のプロセッサによって実行される設計支援プログラムであって、
発光素子が部材に覆われるとき、前記部材表面側から見た発光素子の明るさの要求を受け付け、
前記部材表面側から見た発光素子の明るさの要求を受け付けたとき、前記記憶部に記憶された前記選択可能な発光素子の特性と前記発光素子を覆う部材の特性とを用いて、発光素子の前記部材表面側から見た明るさを求め、
前記部材表面側から見た明るさの要求に応じた発光素子を抽出する
処理をプロセッサに実行させることを特徴とする設計支援プログラム。
【請求項１８】
選択可能な発光素子の特性を記憶する記憶部を備える設計支援装置のプロセッサによって実行される設計支援プログラムであって、
発光素子が部材に覆われるとき、前記部材表面側から見た発光素子の色の要求を受け付け、
前記部材表面側から見た発光素子の色の要求を受け付けたとき、前記記憶部に記憶された前記選択可能な発光素子の特性と前記発光素子を覆う部材の特性とを用いて、発光素子の前記部材表面側から見た色を求め、
前記部材表面側から見た色の要求に応じた発光素子を抽出する
処理をプロセッサに実行させることを特徴とする設計支援プログラム。
【発明の詳細な説明】
【技術分野】
【０００１】
本発明は、設計を支援する技術に関する。
【背景技術】
【０００２】
パチンコやスロットなどの遊技機で用いられる設計支援装置は、発光素子の配置と、筐体の表面側から見た各発光素子の明るさ及び色について、ユーザからの設定の入力を受け付ける。そして、設計支援装置は、筐体と筐体に配置された発光素子とを設定に応じて表示装置に表示する。これにより、ユーザは、表示装置の表示を確認しながら発光素子の駆動設計をすることができる、という技術が知られている。
【０００３】
関連する技術として、光源と、有色透明の素材で形成されており、光源からの光を透過する透光性部材とを備える灯具の設計を支援する設計支援システムが知られている。設計支援システムは、入力部と、厚さ設定部と、色度設定部とを備える。入力部は、透光性部材と同じ素材で形成された、単位厚さを有するテストピースに対する光の透過率の波長依存性を格納する透過率格納部と、透光性部材の形状を示す形状データを入力する。厚さ設定部は、形状データに基づいて、透光性部材の各部に対して、光源からの光の透過方向の厚さを算出する。色度設定部は、光源が発生する光のスペクトル分布と、厚さ設定部により算出された厚さと、透過率格納部に格納されているテストピースの透過率とに基づき、光源からの光に対して透光性部材の各部が透過する光の色度を算出する（例えば、特許文献１）。
【０００４】
関連する他の技術として、コンピュータを利用してサイン・ディスプレイにおける照明システムの光源を自動的に配置するとともに、配置した数量を積算し表示する配灯システムが知られている。配灯システムは、作成すべきサイン・ディスプレイの形状、サイズ、光源の種類、配灯ピッチ、光束、照度、配灯光源の種類、等のデータ入力することにより光源配置を設定し、光源個数を算出する。そして、配灯システムは、この算出集計情報に基づき、必要とする電圧Ｖ、電流Ａ、消費電力Ｗなどの電気的特性数値を算出する。さらに、配灯システムは、算出データを基礎として、光源の配灯処理および必要とされる各種の数値積算を自動的に行なう（例えば、特許文献２）。
【先行技術文献】
【特許文献】
【０００５】
【特許文献１】特開２００５−１４９１５号公報
【特許文献２】特開２０１４−１５４１３３号公報
【発明の概要】
【発明が解決しようとする課題】
【０００６】
前述した設計支援技術において、発光素子を表示装置に表示するとき、発光素子の明るさや色などの表示設定をユーザが手入力するため、筐体に配置される発光素子の数が多くなると表示設定の入力が煩雑になることがある。
本発明は、一側面として、発光素子の表示設定の入力を簡略化する技術を提供する。
【課題を解決するための手段】
【０００７】
本明細書で開示する設計支援装置のひとつに、配置部と、設定部とを備える設計支援装置がある。配置部は、筐体の形状情報と、筐体に配置される発光素子の配置情報とを取得し、筐体に発光素子を配置する。設定部は、発光素子が筐体を構成する部材に覆われるとき、発光素子の特性と部材の特性とに応じて、部材表面側から見た発光素子の明るさを設定する。
【発明の効果】
【０００８】
１実施態様によれば、発光素子の表示設定の入力を簡略化することができる。
【図面の簡単な説明】
【０００９】
【図１】設計支援装置の一実施例を示す機能ブロック図である。
【図２】素子情報の一例を示す図である。
【図３】部材情報の一例を示す図である。
【図４】遊技機の正面図を示す図である。
【図５】遊技機の断面図を示す図である。
【図６】形状情報及び配置情報に応じた表示処理の一例を示す図（その１）である。
【図７】形状情報及び配置情報に応じた表示処理の一例を示す図（その２）である。
【図８】発光素子の明るさの要求に応じた表示処理の一例を示すフローチャートである。
【図９】指定範囲の明るさの要求に応じた表示処理の一例を示すフローチャートである。
【図１０】発光素子の色の要求に応じた表示処理の一例を示すフローチャートである。
【図１１】指定範囲の色の要求に応じた表示処理の一例を示すフローチャートである。
【図１２】コンピュータ装置の一実施例を示すブロック図である。
【発明を実施するための形態】
【００１０】
［実施形態］
実施形態の設計支援装置について説明する。
以下の説明では、遊技機の設計を一例として説明するが、本発明の設計支援装置は、遊技機に限らず他の装置の設計に用いられてもよい。
【００１１】
図１は、設計支援装置の一実施例を示す機能ブロック図である。
設計支援装置１は、制御部１０と、記憶部２０とを備える。そして、設計支援装置１は、表示装置３０と接続される。なお、設計支援装置１は、表示装置３０を含んで構成されてもよい。
【００１２】
制御部１０は、配置部１１と、設定部１２と、受付部１３と、抽出部１４と、調整部１５と、出力部１６とを含む。記憶部２０は、形状情報２１と、配置情報２２と、素子情報２３と、部材情報２４とを記憶する。
【００１３】
形状情報２１は、例えば、筐体の形状と、発光素子の形状とを示すデータを格納する。形状情報２１には、筐体に含まれる部材の識別子（部材識別子）と、配置する発光素子の識別子（素子識別子）とが含まれる。筐体の形状と、発光素子の形状とを示すデータとは、例えば、ＣＡＤ（ｃｏｍｐｕｔｅｒ−ａｉｄｅｄ  ｄｅｓｉｇｎ）などで作成された、筐体の形状を示す図面のデータ、及び発光素子の形状を示す図面のデータなどである。また、発光素子とは、例えば、ＬＥＤ（Ｌｉｇｈｔ  Ｅｍｉｔｔｉｎｇ  Ｄｉｏｄｅ）、及び白熱電球などである。
【００１４】
配置情報２２は、例えば、筐体に配置される発光素子の位置を示すデータを格納する。配置情報２２は、筐体を正面から見たときの発光素子の位置を示すデータと、筐体を側面から見たときの発光素子の位置を示すデータとを含む情報である。発光素子の位置を示すデータとは、例えば、ＣＡＤなどで作成された、筐体内の発光素子の位置を示すデータなどである。
【００１５】
素子情報２３は、発光素子の特性を格納する。素子情報２３は、例えば、設計時に選択可能な発光素子の特性を格納する。
図２は、素子情報の一例を示す図である。図２を参照して、素子情報２３の一例について説明する。
素子情報２３は、例えば、複数の発光素子の素子識別子に、それぞれ光度Ｉ［ｃｄ］、指向特性φ（θ）、及び相対分光分布Ｐ（λ）などの特性を関連付けて格納する。以下の説明では、光度Ｉ［ｃｄ］のことを単に光度ともいう。指向特性φ（θ）のことを単に指向特性ともいう。相対分光分布Ｐ（λ）のことを単に相対分光分布ともいう。
【００１６】
素子識別子は、選択可能な発光素子の種類を示す識別子である。光度は、例えば、発光素子から放射される光の明るさを表す物理量であり、発光素子が筐体表面側に放射する単位立体角あたりの光束を示す。以下の説明において、光度は、図５に示す前方に向かって発光素子から放射する光の量を表すものとして説明する。また、発光素子を正面から見るとは、発光素子を図５（ａ）及び図５（ｂ）に示す軸の前方から後方に向かって見ることをいう。以下の説明において、前方、後方、左方及び右方は、図５に示す軸の方向であるものとする。
【００１７】
指向特性とは、発光素子から放射される光がどのように広がっていくのかを表現したもので、例えば、発光素子から前方に向かって放射される光の光度を基準として、光度と放射角度との関係を示す特性である。相対分光分布は、各波長における発光素子の発光エネルギーの分布を示す特性である。
【００１８】
なお、素子情報２３には、光度、指向特性、及び相対分光分布の他にも、発光素子から放射される全ての光束の量を示す全光束などを格納してもよい。さらに、素子情報２３には、素子識別子に関連付けて、各発光素子の順電流と相対光度との関係を示す電流光度特性を格納してもよい。
【００１９】
部材情報２４は、例えば、筐体を構成する各部材の特性を格納する。
図３は、部材情報の一例を示す図である。図３を参照して、部材情報２４の一例について説明する。
部材情報２４は、例えば、部材識別子と、分光透過率Ｔ（λ）とを格納する。部材識別子は、例えば、筐体に含まれる各部材を識別する情報である。分光透過率Ｔ（λ）は、各波長の光に対する部材の透過率を示す特性である。以下の説明では、分光透過率Ｔ（λ）のことを、単に分光透過率ともいう。
【００２０】
図４は、遊技機の正面図を示す図である。図５（ａ）及び図５（ｂ）は、遊技機の断面図を示す図である。以下の説明では、図５（ａ）及び図５（ｂ）のことを、まとめて図５ともいう。図５（ａ）は、図４の破線ＡＡ’に沿って前方から後方に向かって遊技機１００を切断したときの断面図である。また、図５（ｂ）は、図４の破線ＢＢ’に沿って前方から後方に向かって遊技機１００を切断したときの断面図である。また、図４に示す遊技機の正面図とは、遊技機を前方から後方に向かって見た図である。図１から図５を参照して、配置部１１、設定部１２、受付部１３、抽出部１４、調整部１５、及び出力部１６による設計支援処理を説明する。
【００２１】
遊技機１００は、筐体と、筐体に配置される演出用の部材と、図示しない打球の発射装置などを含んで構成される。
遊技機１００の筐体には、例えば、図４に示すように、発光素子１１１から１１６及びその他の白マルで示される第１色の発光素子が配置される。さらに、遊技機１００の筐体には、発光素子１２１から１２３で示される第２色の発光素子、発光素子１３１から１３５で示される第３色の発光素子、及び発光素子１４１から１４８で示される第４色の発光素子が配置される。さらに、遊技機１００の筐体には、例えば、各種演出を表示する表示装置１５０が配置されてもよい。
【００２２】
以下の説明では、単に発光素子という場合には、遊技機１００に配置される発光素子の何れかを示すものとする。また、発光素子１１１から１１６及びその他の白マル、発光素子１２１から１２３、発光素子１３１から１３５、並びに発光素子１４１から１４８は、それぞれ、図2に示す発光素子Ａ、発光素子Ｂ、発光素子Ｃ、及び発光素子Ｄの特性に対応するものとする。さらに、遊技機１００の筐体のことを、単に筐体ともいう。
【００２３】
筐体は、図４及び図５に示すように、外枠１６０、第１前面部材１７０、第２前面部材１８０、及び後面部材１９０を含んで構成される。以下の説明では、第１前面部材１７０、及び第２前面部材１８０は、それぞれ、図３に示す部材Ｆ、及び部材Ｇに対応するものとする。前面とは、例えば、前方側の面のことをいう。
【００２４】
配置部１１は、形状情報２１と配置情報２２とを取得し、図４及び図５に示すように、筐体に発光素子を配置する。このとき、配置部１１は、筐体を正面から見たときの筐体の部材と発光素子との位置関係と、筐体を側面から見たときの筐体の部材と発光素子との位置関係とを考慮して、筐体に発光素子を配置する。一例として、図５（ａ）においては、第１前面部材１７０、発光素子１１１から１１３、後面部材１９０の順で前方から後方に向かって配置されている。また、図５（ｂ）においては、第２前面部材１８０、第１前面部材１７０、発光素子１４１から１４３、後面部材１９０の順で前方から後方に向かって配置されている。
【００２５】
設定部１２は、発光素子が筐体を構成する部材に覆われるとき、発光素子と部材との特性に応じて、部材表面側から見た発光素子の明るさを設定する。発光素子が筐体を構成する部材に覆われるときとは、図５（ａ）に示すように、発光素子よりも前方に部材がある状態をいう。部材表面側とは、前方から見た部材の表面のことをいう。部材表面側から見た明るさとは、例えば、図５（ａ）において、発光素子から放射された光が部材を透過することにより観測される、部材表面の明るさのことである。
【００２６】
設定部１２は、例えば、図５（ａ）に示すように、発光素子１１１が第１前面部材１７０に覆われているとき、形状情報２１と配置情報２２とを参照し、発光素子１１１と第１前面部材１７０との距離Ｄ１［ｍ］を取得する。また、設定部１２は、素子情報２３から発光素子１１１の特性を取得する。さらに、設定部１２は、部材情報２４から第１前面部材１７０の特性を取得する。以下の説明では、距離Ｄ１［ｍ］のことを、単に距離Ｄ１ともいう。
【００２７】
そして、設定部１２は、距離Ｄ１と、発光素子１１１の特性と、第１前面部材１７０の特性とを用いて、部材表面側から見た発光素子１１１の明るさを設定する。設定部１２は、発光素子１１２、１１３についても同様に、部材表面側から見た発光素子１１２、１１３の明るさを設定する。設定部１２は、例えば、発光素子の光学的特性と、発光素子と部材との距離と、部材の透過率とを取得し、明るさとして、部材表面側から見た発光素子の輝度を算出してもよい。なお、設定部１２は、上述した方法に限らず、部材の特性と発光素子の特性とを適宜用いて、部材表面側から見た発光素子の明るさを算出してもよい。
【００２８】
図５（ａ）を参照して、設定部１２による明るさの設定の一例を説明する。以下の説明において、設定部１２は、明るさとして輝度を設定するものとして説明する。
設定部１２は、例えば、図５（ａ）に示すように、発光素子１１１が第１前面部材１７０に覆われているとき、形状情報２１及び配置情報２２から発光素子１１１及び第１前面部材１７０との距離Ｄ１［ｍ］を取得する。また、設定部１２は、素子情報２３から発光素子１１１の光度Ｉａ［ｃｄ］及び相対分光分布Ｐａ（λ）を取得する。さらに、設定部１２は、部材情報２４から第１前面部材１７０の分光透過率Ｔｆ（λ）を取得する。
【００２９】
そして、設定部１２は、例えば、下記式（１）のＰ（λ）とＴ（λ）とに、それぞれＰａ（λ）とＴｆ（λ）とを代入する。これにより、設定部１２は、発光素子１１１から放射される光が部材を透過したときに観測される、部材表面側の光の相対分光分布Ｐｏ（λ）を算出する。以下の説明では、発光素子１１１から放射される光が透過したときに観測される、部材表面側の光の相対分光分布Ｐｏ（λ）のことを、Ｐｏａ（λ）ともいう。
Ｐｏ（λ）＝Ｐ（λ）Ｔ（λ）…（１）
【００３０】
そして、設定部１２は、下記式（２）のＰｏ（λ）とＰ（λ）とに、それぞれＰｏａ（λ）とＰａ（λ）とを代入して、比率Ｒを算出する。式（２）の各積分の範囲は、例えば、可視光の波長範囲であり、波長３８０ｎｍから７６０ｎｍとしてもよい。以下の説明では、下記式（２）にＰｏａ（λ）とＰａ（λ）とを代入して得られた比率Ｒのことを、比率Ｒａともいう。
Ｒ＝∫Ｐｏ（λ）ｄλ／∫Ｐ（λ）ｄλ…（２）
【００３１】
また、設定部１２は、下記（３）式のＩとＤとに、光度Ｉａ［ｃｄ］と距離Ｄ１［ｍ］とを代入して、照度Ｅ［ｌｘ］を算出する。以下の説明では、下記式（３）に光度Ｉａ［ｃｄ］と距離Ｄ１［ｍ］とを代入して得られた照度Ｅのことを、照度Ｅａともいう。
Ｅ＝Ｉ／Ｄ＾２…（３）
【００３２】
さらに、設定部１２は、下記式（４）の比率Ｒと照度Ｅとに、比率Ｒａと照度Ｅａ［ｌｘ］とを代入して、光束拡散度Ｍを求める。以下の説明では、下記式（４）に比率Ｒａと照度Ｅａ［ｌｘ］とを代入して得られた光束拡散度Ｍのことを、光束拡散度Ｍａともいう。
Ｍ＝ＲＥ…（４）
【００３３】
また、設定部１２は、第１前面部材１７０が完全拡散面であるものと仮定し、下記式（５）に光束発散度Ｍａを代入して、発光素子１１１の放射した光が透過したことによる第１前面部材１７０の表面の輝度Ｌを算出する。以下の説明では、下記式（５）に光束発散度Ｍａを代入して得られた輝度Ｌのことを輝度Ｌａともいう。
Ｌ＝Ｍ／π…（５）
設定部１２は、上述の式（１）から式（５）を用いて、各発光素子について、部材表面側から見た明るさの指標として輝度を算出する。
【００３４】
発光素子１１２、１１３は、それぞれ第１前面部材１７０に覆われている。また、発光素子１１２、１１３と第１前面部材１７０との距離Ｄ１と、発光素子１１２、１１３の特性とは、それぞれ発光素子１１１と第1前面部材１７０との距離Ｄ１と、発光素子１１１の特性とに等しい。したがって、設定部１２は、発光素子１１２、１１３から放射される光が部材を透過したときに観測される、部材表面の明るさと、発光素子１１１から放射される光が部材を透過したときに観測される、部材表面の明るさと、が同等であると設定してもよい。これにより、設定部１２は、上述の演算を省略することができる。
【００３５】
設定部１２は、例えば、図５（ｂ）に示すように、発光素子１４１が第１前面部材１７０と第２前面部材１８０とに覆われているとき、形状情報２１と配置情報２２とを参照し、発光素子１４１と第１前面部材１７０との距離Ｄ１［ｍ］を取得する。また、設定部１２は、形状情報２１を参照し、第１前面部材１７０と第２前面部材１８０との距離Ｄ２［ｍ］を取得する。さらに、設定部１２は、素子情報２３から発光素子１４１の特性を取得する。そして、設定部１２は、部材情報２４から第１前面部材１７０の特性と第２前面部材１８０の特性とを取得する。以下の説明では、距離Ｄ２［ｍ］のことを、単に距離Ｄ２ともいう。
【００３６】
そして、設定部１２は、距離Ｄ１と、距離Ｄ２と、発光素子１４１の特性と、第１前面部材１７０及び第２前面部材１８０の特性とを用いて、部材表面側から見た発光素子１４１の明るさを設定する。設定部１２は、発光素子１４２、１４３についても同様に、部材表面側から見た明るさを設定する。
【００３７】
図５（ｂ）を参照して、発光素子が２つの部材に覆われているときにおける、設定部１２による明るさの設定の一例を説明する。以下の説明において、設定部１２は、明るさとして輝度を設定するものとして説明する。
【００３８】
設定部１２は、例えば、図５（ｂ）に示すように、発光素子１４１が第１前面部材１７０及び第２前面部材１８０に覆われているとき、形状情報２１及び配置情報２２を参照し、発光素子１４１と第１前面部材１７０との距離Ｄ１［ｍ］を取得する。さらに、設定部１２は、形状情報２１を参照し、第１前面部材１７０と第２前面部材１８０との距離Ｄ２［ｍ］を取得する。また、設定部１２は、素子情報２３から発光素子１４１の光度Ｉｄ［ｃｄ］及び相対分光分布Ｐｄ（λ）を取得する。さらに、設定部１２は、部材情報２４から第１前面部材１７０の分光透過率Ｔｆ（λ）及び第２前面部材１８０の分光透過率Ｔｇ（λ）を取得する。以下の説明では、距離Ｄ２［ｍ］のことを、単に距離Ｄ２ともいう。
【００３９】
そして、設定部１２は、例えば、下記式（６）のＰ（λ）、Ｔ１（λ）、及びＴ２（λ）に、それぞれＰｄ（λ）、Ｔｆ（λ）、及びＴｇ（λ）を代入する。これにより、設定部１２は、発光素子１４１から放射される光が部材を透過したときに観測される、部材表面側の光の相対分光分布Ｐｏ（λ）を算出する。以下の説明では、発光素子１１１から放射される光が透過したときに観測される、部材表面側の光の相対分光分布Ｐｏ（λ）のことを、Ｐｏｄ（λ）ともいう。
Ｐｏ（λ）＝Ｐ（λ）Ｔ１（λ）Ｔ２（λ）…（６）
【００４０】
そして、設定部１２は、式（２）のＰｏ（λ）とＰ（λ）とに、それぞれＰｏｄ（λ）とＰｄ（λ）とを代入して、比率Ｒを算出する。以下の説明では、式（２）にＰｏｄ（λ）とＰｄ（λ）とを代入して得られた比率Ｒのことを、比率Ｒｄともいう。
【００４１】
また、設定部１２は、下記式（７）のＩ、Ｄ１、及びＤ２に、それぞれ光度Ｉｄ［ｃｄ］、距離Ｄ１［ｍ］、及びＤ２［ｍ］を代入して、照度Ｅ［ｌｘ］を算出する。以下の説明では、下記式（７）に光度Ｉｄ［ｃｄ］、距離Ｄ１［ｍ］、及び距離Ｄ２［ｍ］を代入して得られた照度Ｅのことを、照度Ｅｄともいう。
Ｅ＝Ｉ／（Ｄ１＋Ｄ２）＾２…（７）
【００４２】
さらに、設定部１２は、式（４）の比率Ｒと照度Ｅとに、それぞれ比率Ｒｄと照度Ｅｄ［ｌｘ］とを代入して、光束拡散度Ｍを求める。以下の説明では、式（４）に比率Ｒｄと照度Ｅｄ［ｌｘ］とを代入して得られた光束拡散度Ｍのことを、光束拡散度Ｍｄともいう。
【００４３】
また、設定部１２は、第１前面部材１７０が完全拡散面であるものと仮定し、式（５）に光束発散度Ｍｄを代入して、発光素子１４１の放射した光が透過したことによる第２前面部材１８０の表面の輝度Ｌを算出する。以下の説明では、下記式（５）に光束発散度Ｍｄを代入して得られた輝度Ｌのことを輝度Ｌｄともいう。
設定部１２は、上述の式（２）、式（４）から式（７）を用いて、各発光素子について、部材表面側から見た明るさの指標として輝度を算出する。
【００４４】
発光素子を覆う部材がさらに増えたときには、式（１）のＴ（λ）に各部材の分光透過率を掛け合わせた数値を代入し、かつ式（３）のＤに各部材間の距離を足し合わせた数値を代入して、明るさを算出してもよい。
【００４５】
発光素子１４２、１４３は、それぞれ第１前面部材１７０及び第２前面部材１８０に覆われている。発光素子１４２、１４３と第１前面部材１７０との距離Ｄ１と、第１前面部材１７０と第２前面部材１８０との距離Ｄ２とは、それぞれ発光素子１４１と第１前面部材１７０との距離Ｄ１と、第１前面部材１７０と第２前面部材１８０との距離Ｄ２とに等しい。また、発光素子１４２、１４３の特性は、それぞれ発光素子１４１の特性に等しい。したがって、設定部１２は、発光素子１４２、１４３から放射される光が部材を透過したときに観測される、部材表面の明るさと、発光素子１４１から放射される光が部材を透過したときに観測される、部材表面の明るさとが同等であると設定してもよい。これにより、設定部１２は、上述の演算を省略することができる。
【００４６】
図５（ａ）及び図５（ｂ）を参照して説明した、上述の設定部１２による明るさの算出方法は、一例であり、発光素子間の明るさを比較できる指標が得られれば、筐体の形状と、発光素子の配置と、発光素子及び部材の光学的特性とを用いて他の方法により算出してもよい。明るさの指標は、輝度に限定されるものではなく、光度、照度、及び光束などの側光量や、放射束のような物理量を用いてもよい。
【００４７】
設定部１２は、発光素子が筐体を構成する部材に覆われるとき、発光素子と部材との特性に応じて、部材表面側から見た発光素子の色を設定する。部材表面側から見た色とは、例えば、図５（ａ）において、発光素子から放射された光が部材を透過することにより観測される、部材表面の色のことである。
【００４８】
設定部１２は、例えば、図５（ａ）に示すように、発光素子１１１が第１前面部材１７０に覆われているとき、素子情報２３から発光素子１１１の特性を取得する。さらに、設定部１２は、部材情報２４から第１前面部材１７０の特性を取得する。
【００４９】
そして、設定部１２は、発光素子１１１の特性と、第１前面部材１７０の特性とを用いて、部材表面側から見た発光素子１１１の色を設定する。設定部１２は、発光素子１１２、１１３についても同様に、部材表面側から見た色を設定する。設定部１２は、発光素子の光学的特性と、部材の透過率の波長依存性とを取得し、色として、部材表面側から見た発光素子の色度を算出してもよい。なお、設定部１２は、上述した方法に限らず、部材の特性と発光素子の特性とを適宜用いて、部材表面側から見た発光素子の色を算出してもよい。
【００５０】
図５（ａ）を参照して、設定部１２による色の設定の一例を説明する。以下の説明において、設定部１２は、色として色度を設定するものとして説明する。
設定部１２は、例えば、図５（ａ）に示すように、発光素子１１１が第１前面部材１７０に覆われているとき、素子情報２３から発光素子１１１の相対分光分布Ｐａ（λ）を取得する。さらに、設定部１２は、部材情報２４から第１前面部材１７０の分光透過率Ｔｆ（λ）を取得する。
【００５１】
そして、設定部１２は、例えば、下記式（８）から（１０）のＰ（λ）とＴ（λ）とに、それぞれＰａ（λ）とＴｆ（λ）とを代入することにより、三刺激値Ｘ、Ｙ、及びＺを算出する。ｘ（λ）、ｙ（λ）、及びｚ（λ）は、等色関数である。また、Ｋは、三刺激値のＹの値が全波長の積分透過率となるように定められた比例係数である。式（８）から（１０）の各積分の範囲は、例えば、可視光の波長範囲であり、波長３８０ｎｍから７６０ｎｍとしてもよい。
Ｘ＝Ｋ∫Ｐ（λ）Ｔ（λ）ｘ（λ）ｄλ…（８）
Ｙ＝Ｋ∫Ｐ（λ）Ｔ（λ）ｙ（λ）ｄλ…（９）
Ｚ＝Ｋ∫Ｐ（λ）Ｔ（λ）ｚ（λ）ｄλ…（１０）
【００５２】
そして、設定部１２は、下記式（１１）、（１２）のＸ、Ｙ、Ｚに、式（８）から（１０）により求めた三刺激値Ｘ、Ｙ、Ｚを代入することにより、透過色度ｘ、ｙを求める。
ｘ＝Ｘ／（Ｘ＋Ｙ＋Ｚ）…（１１）
ｙ＝Ｙ／（Ｘ＋Ｙ＋Ｚ）…（１２）
【００５３】
発光素子１１２、１１３は、それぞれ第１前面部材１７０に覆われている。そして、発光素子１１２、１１３の特性は、それぞれ発光素子１１1の特性に等しい。したがって、設定部１２は、発光素子１１２、１１３から放射される光が部材を透過したときに観測される、部材表面の色と、発光素子１１１から放射される光が部材を透過したときに観測される、部材表面の色とが同等であると設定してもよい。これにより、設定部１２は、上述演算を省略することができる。
【００５４】
設定部１２は、例えば、図５（ｂ）に示すように、発光素子１４１が第１前面部材１７０と、第２前面部材１８０とに覆われているとき、素子情報２３から発光素子１４１の特性を取得する。さらに、設定部１２は、部材情報２４から第１前面部材１７０の特性と、第２前面部材の特性とを取得する。
【００５５】
そして、設定部１２は、発光素子１４１の特性と、第１前面部材１７０の特性と、第２前面部材１８０の特性とを用いて、部材表面側から見た発光素子１４１の色を設定する。設定部１２は、発光素子１４２、１４３についても同様に、部材表面側から見た色を設定する。設定部１２は、発光素子の光学的特性と、部材の透過率の波長依存性とを取得し、色として、部材表面側から見た発光素子の色度を算出してもよい。なお、設定部１２は、上述した方法に限らず、部材の特性と発光素子の特性とを適宜用いて、部材表面側から見た発光素子の色を算出してもよい。
【００５６】
図５（ｂ）を参照して、発光素子が２つの部材に覆われているときにおける、設定部１２による色の設定の一例を説明する。以下の説明において、設定部１２は、色として色度を設定するものとして説明する。
設定部１２は、例えば、図５（ｂ）に示すように、発光素子１４１が第１前面部材１７０と第２前面部材１８０とに覆われているとき、素子情報２３から発光素子１４１の相対分光分布Ｐｄ（λ）を取得する。さらに、設定部１２は、部材情報２４から第１前面部材１７０の分光透過率Ｔｆ（λ）と、第２前面部材１８０の分光透過率Ｔｇ（λ）とを取得する。
【００５７】
そして、設定部１２は、例えば、下記式（１３）から（１５）のＰ（λ）とＴ１（λ）とＴ２（λ）とに、それぞれＰｄ（λ）とＴｆ（λ）とＴｇ（λ）とを代入することにより、三刺激値Ｘ、Ｙ、及びＺを算出する。式（１３）から（１５）の各積分の範囲は、例えば、可視光の波長範囲であり、波長３８０ｎｍから７６０ｎｍとしてもよい。
Ｘ＝Ｋ∫Ｐ（λ）Ｔ１（λ）Ｔ２（λ）ｘ（λ）ｄλ…（１３）
Ｙ＝Ｋ∫Ｐ（λ）Ｔ１（λ）Ｔ２（λ）ｙ（λ）ｄλ…（１４）
Ｚ＝Ｋ∫Ｐ（λ）Ｔ１（λ）Ｔ２（λ）ｚ（λ）ｄλ…（１５）
【００５８】
そして、設定部１２は、式（１１）、（１２）のＸ、Ｙ、Ｚに、式（１３）から（１５）により求めた三刺激値Ｘ、Ｙ、Ｚを代入することにより、透過色度ｘ、ｙを求める。
【００５９】
発光素子１４２、１４３は、それぞれ第１前面部材１７０と第２前面部材とに覆われている。そして、発光素子１４２、１４３の特性は、それぞれ発光素子１４１の特性に等しい。したがって、設定部１２は、発光素子１４２、１４３から放射される光が部材を透過したときに観測される、部材表面の色と、発光素子１４１から放射される光が部材を透過したときに観測される、部材表面の色とが同等であると設定してもよい。これにより、設定部１２は、上述の演算を省略することができる。
【００６０】
図５（ａ）及び図５（ｂ）を参照して説明した、上述の設定部１２による色の算出方法は、一例であり、発光素子間の色を比較できる指標が得られれば、筐体の形状と、発光素子の配置と、発光素子及び部材の光学的特性とを用いて他の方法により算出してもよい。色の指標は、色度に限定されるものではなく、明度、及び彩度などを用いてもよい。
【００６１】
受付部１３は、部材表面側から見た発光素子の明るさの要求を受け付ける。受付部１３は、例えば、ユーザにより図４に示す発光素子のいずれかの選択と、選択された発光素子に要求される明るさの入力を受け付ける。
【００６２】
抽出部１４は、受付部１３が部材表面側から見た発光素子の明るさの要求を受け付けたとき、記憶部２０に記憶された素子情報２３に格納されている選択可能な発光素子の特性を参照する。そして、抽出部１４は、選択可能な発光素子の特性を用いて、発光素子を部材表面側から見た明るさを算出し、受付部１３により受け付けられた部材表面側から見た明るさの要求に応じた発光素子を抽出する。発光素子を部材表面側から見た明るさとは、例えば、発光素子から放射される光が部材を透過したときに観測される、部材表面の明るさのことである。
【００６３】
図５（ａ）を参照して、受付部１３が部材表面側から見た発光素子の明るさの要求として輝度を受け付けたときの、抽出部１３による発光素子の抽出を説明する。
抽出部１４は、受付部１３により部材表面側から見た発光素子１１１の輝度の要求が受け付けられたとき、第１前面部材１７０の分光透過率Ｔｆ（λ）を取得し、式（１）のＴ（λ）に、Ｔｆ（λ）を代入する。さらに、抽出部１４は、形状情報２１と、配置情報２２とを参照し、発光素子１１１と第１前面部材１７０との距離Ｄ１［ｍ］を取得し、式（３）のＤに距離Ｄ１［ｍ］を代入する。
【００６４】
そして、抽出部１４は、素子情報２３に格納されている各発光素子の特性を用いて、各発光素子を第１前面部材１７０表面側から見たときの輝度を、式（１）から式（５）を用いて算出する。抽出部１４は、算出した結果を参照し、要求に近い輝度を第１前面部材１７０表面に生じさせる発光素子を素子情報２３から抽出する。これにより、設定部１２は、発光素子１１１に抽出した発光素子を適用する。そして、出力部１６は、設定部１２により適用された発光素子を発光素子１１１として、表示装置３０に表示させる。
【００６５】
発光素子１１２、１１３と第１前面部材１７０との距離Ｄ１は、発光素子１１１と第１前面部材１７０との距離Ｄ１に等しい。したがって、抽出部１４は、発光素子１１２、１１３の部材表面側から見た明るさと、発光素子１１１の部材表面側から見た明るさとが同等であると判定し、発光素子１１２、１１３に適用する発光素子として、発光素子１１１に適用する発光素子と同じ発光素子を抽出してもよい。これにより、抽出部１４は、上述の演算を省略することができる。
【００６６】
図５（ｂ）を参照して、受付部１３が部材表面側から見た発光素子の明るさの要求として輝度を受け付けたときの、抽出部１３による発光素子の抽出を説明する。
抽出部１４は、受付部１３により部材表面側から見た発光素子１４１の輝度の要求が受け付けられたとき、第１前面部材１７０の分光透過率Ｔｆ（λ）及び第２前面部材１８０の分光透過率Ｔｇ（λ）を取得する。そして、抽出部１４は、式（６）のＴ１（λ）、及びＴ２（λ）に、それぞれＴｆ（λ）、及びＴｇ（λ）を代入する。
【００６７】
さらに、抽出部１４は、形状情報２１及び配置情報２２を参照し、発光素子１４１と第１前面部材１７０との距離Ｄ１［ｍ］を取得する。また、抽出部１４は、形状情報２１を参照し、第１前面部材１７０と第２前面部材１８０との距離Ｄ２［ｍ］を取得する。抽出部１４は、式（７）のＤ１、及びＤ２に、それぞれ距離Ｄ１［ｍ］、及びＤ２［ｍ］を代入する。
【００６８】
そして、抽出部１４は、素子情報２３に格納されている各発光素子の特性を用いて、各発光素子を第２前面部材１８０表面側から見たときの輝度を、式（２）、式（４）から式（７）を用いて算出する。抽出部１４は、算出した結果を参照し、要求に近い輝度を第２前面部材１８０表面に生じさせる発光素子を素子情報２３から抽出する。これにより、設定部１２は、発光素子１４１に抽出した発光素子を適用する。そして、出力部１６は、設定部１２により適用された発光素子を発光素子１４１として、表示装置３０に表示させる。
【００６９】
発光素子１４２、１４３と第１前面部材１７０との距離Ｄ１と、発光素子１４１と第１前面部材１７０との距離Ｄ１に等しい。したがって、抽出部１４は、発光素子１４２、１４３の部材表面側から見た明るさと、発光素子１４１の部材表面側から見た明るさとが同等であると判定し、発光素子１４２、１４３に適用する発光素子として、発光素子１４１に適用する発光素子と同じ発光素子を抽出してもよい。これにより、抽出部１４は、上述の演算を省略することができる。
【００７０】
上述の抽出部１４による発光素子の抽出方法は、一例であり、要求された部材表面側から見た発光素子の明るさに近い発光素子が抽出できれば、筐体の形状と、発光素子の配置と、発光素子及び部材の光学的特性とを用いて他の方法により抽出してもよい。明るさの指標は、輝度に限定されるものではなく、光度、照度、及び光束などの側光量や、放射束のような物理量を用いてもよい。発光素子を覆う部材が増えたときには、発光素子の明るさを算出する処理において、式（１）のＴ（λ）に各部材の分光透過率を掛け合わせた数値を代入し、かつ式（３）のＤに各部材間の距離を足し合わせた数値を代入して、輝度を算出してもよい。
【００７１】
図１を参照して説明する。
受付部１３は、部材表面の範囲の指定と、部材表面側から見た指定された範囲の明るさの要求を受け付ける。そして、抽出部１４は、指定された範囲に光を照射する発光素子の中から、指定された範囲の明るさの要求に応じて、発光させる発光素子を抽出する。
【００７２】
抽出部１３は、指定範囲に光を照射する発光素子の中から、指定範囲の明るさが要求に応じた明るさに近くなるように、発光させる発光素子を探索する。そして、抽出部１３は、発光させる発光素子の数と、各発光素子の位置とを選択することにより、発光させる発行素子を抽出する。指定範囲に光を照射する発光素子とは、例えば、指定範囲に所定の閾値以上の明るさを生じさせる発光素子でもよい。
【００７３】
図４を参照して、受付部１３が部材表面の範囲の指定と、部材表面側から見た指定された範囲の明るさの要求として、指定された範囲の輝度を受け付けたときの、抽出部１３による発光素子の抽出を説明する。以下の説明では、部材表面の指定された範囲のことを指定範囲ともいう。また、指定範囲に光を照射する発光素子は、発光素子１１４から１１６であるものとする。さらに、発光素子１１４から１１６と第１前面部材１７０との距離は、距離Ｄ１［ｍ］であるものとする。
【００７４】
抽出部１４は、受付部１３により、図４に破線で示す指定範囲１７１と、部材表面側から見た指定範囲１７１の明るさの要求が受け付けられたとき、第１前面部材１７０の分光透過率Ｔｆ（λ）を取得し、式（１）のＴ（λ）に、Ｔｆ（λ）を代入する。さらに、抽出部１４は、形状情報２１と、配置情報２２とを参照し、発光素子１１４から１１６と第１前面部材１７０との距離Ｄ１［ｍ］を取得し、式（３）のＤに距離Ｄ１［ｍ］を代入する。
【００７５】
そして、抽出部１４は、素子情報２３に格納されている各発光素子の特性を用いて、指定範囲１７１に光を照射する発光素子１１４から１１６を第１前面部材１７０表面側から見たときの輝度を、式（１）から式（５）を用いてそれぞれ算出する。指定範囲１７１の色が指定されているとき、抽出部１４は、素子情報２３に含まれる指定の色の発光素子を選択して、輝度を算出してもよい。
【００７６】
さらに、抽出部１４は、素子情報２３から指定範囲１７１に光を照射する発光素子の指向特性を取得し、各発光素子から照射された光による指定範囲１７１の各位置の輝度を算出する。そして、抽出部１４は、発光素子１１４から１１６、発光素子１１４、１１５、発光素子１１４、１１６、及び発光素子１１５、１１６の組合せで発光させたときの指定範囲１７１の各位置の輝度を足し合わせ、それぞれ指定範囲１７１全体の輝度の平均値を算出する。
【００７７】
抽出部１３は、算出した指定範囲１７１全体の輝度の平均値の中から、要求された輝度に近い輝度を抽出する。そして、抽出部１３は、抽出した輝度に対応する発光素子の組合せに含まれる発光素子を、発光させる発光素子として抽出する。以上により、抽出部１３は、指定範囲１７１の輝度の要求に応じて、発光させる発光素子を抽出する。
【００７８】
上述の抽出部１４による発光素子の抽出方法は、一例であり、発光素子を抽出できる指標が得られれば、筐体の形状と、発光素子の配置と、発光素子及び部材の光学的特性とを用いて他の方法により抽出してもよい。明るさの指標は、輝度に限定されるものではなく、光度、照度、及び光束などの側光量や、放射束のような物理量を用いてもよい。発光素子を覆う部材が増えたときには、各発光素子の明るさを算出する処理において、式（１）のＴ（λ）に各部材の分光透過率を掛け合わせた数値を代入し、かつ式（３）のＤに各部材間の距離を足し合わせた数値を代入して、輝度を算出してもよい。
【００７９】
図１を参照して説明する。
受付部１３は、部材表面側から見た発光素子の色の要求を受け付ける。受付部１３は、例えば、ユーザにより図４に示す発光素子のいずれかの選択と、選択された発光素子に要求される色の入力を受け付ける。
【００８０】
抽出部１４は、受付部１３が部材表面側から見た発光素子の色の要求を受け付けたとき、記憶部２０に記憶された選択可能な発光素子の特性を用いて、各発光素子の部材表面側から見た色を算出する。そして、抽出部１４は、受付部１３により受け付けられた部材表面側から見た色の要求に応じた発光素子を抽出する。発光素子を部材表面側から見た色とは、例えば、発光素子から放射される光が部材を透過したときに観測される、部材表面の色ことである。
【００８１】
図５（ａ）を参照して、受付部１３が部材表面側から見た発光素子の色の要求として色度を受け付けたときの、抽出部１３による発光素子の抽出を説明する。
抽出部１４は、受付部１３により部材表面側から見た発光素子１１１の色度の要求が受け付けられたとき、部材情報２４から第１前面部材１７０の分光透過率Ｔｆ（λ）を取得し、式（８）から（１０）のＴ（λ）に代入する。
【００８２】
そして、抽出部１４は、素子情報２３に格納されている各発光素子の相対分光分布Ｐ（λ）と、等式関数ｘ（λ）、ｙ（λ）、及びｚ（λ）とを用いて、各発光素子を第１前面
部材１７０表面側から見たときの色度を、式（８）から式（１２）を用いて算出する。抽出部１４は、算出した結果を参照し、要求に近い色度を第１前面部材１７０表面に生じさせる発光素子を素子情報２３から抽出する。これにより、設定部１２は、発光素子１１１に抽出した発光素子を適用する。そして、出力部１６は、設定部１２により適用された発光素子を発光素子１１１として、表示装置３０に表示させる。
【００８３】
発光素子１１２、１１３の相対分光分布Ｐ（λ）は、発光素子１１１の相対分光分布Ｐａ（λ）に等しい。したがって、抽出部１４は、発光素子１１２、１１３の部材表面側から見た色と、発光素子１１１の部材表面側から見た色とが同等であると判定し、発光素子１１２、１１３に適用する発光素子として、発光素子１１１に適用する発光素子と同じ発光素子を抽出してもよい。これにより、抽出部１４は、上述の演算を省略することができる。
【００８４】
さらに、図５（ｂ）を参照して、受付部１３が部材表面側から見た発光素子の色の要求として色度を受け付けたときの、抽出部１３による発光素子の抽出を説明する。
抽出部１４は、受付部１３により部材表面側から見た発光素子１４１の色度の要求が受け付けられたとき、第１前面部材１７０の分光透過率Ｔｆ（λ）及び第２前面部材１８０の分光透過率Ｔｇ（λ）を取得する。
【００８５】
そして、抽出部１４は、素子情報２３に格納されている各発光素子の相対分光分布Ｐ（λ）と、等式関数ｘ（λ）、ｙ（λ）、及びｚ（λ）とを用いて、各発光素子を第２前面部材１８０表面側から見たときの色度を、式（１１）から式（１５）を用いて算出する。
抽出部１４は、算出した結果を参照し、第２前面部材１８０表面に要求された色度に近い色度を生じさせる発光素子を素子情報２３から抽出する。これにより、設定部１２は、発光素子１４１に抽出した発光素子を適用する。そして、出力部１６は、設定部１２により適用された発光素子を発光素子１４１として、表示装置３０に表示させる。
【００８６】
発光素子１４２、１４３の相対分光分布Ｐ（λ）は、発光素子１４１の相対分光分布Ｐａ（λ）に等しい。したがって、抽出部１４は、発光素子１４２、１４３を第２前面部材１８０表面側から見た色度と、発光素子１４１を第２前面部材１８０表面側から見た色度とが同等であると判定してもよい。そして、抽出部１４は、発光素子１４２、１４３に適用する発光素子に、発光素子１４１に適用する発光素子と同じ発光素子を抽出してもよい。これにより、抽出部１４は、上述の演算を省略することができる。
【００８７】
上述の抽出部１４による発光素子の抽出方法は、一例であり、要求された部材表面側から見た発光素子の色に近い発光素子が抽出できれば、筐体の形状と、発光素子の配置と、発光素子及び部材の光学的特性とを用いて他の方法により抽出してもよい。色の指標は、色度に限定されるものではなく、明度、及び彩度などを用いてもよい。発光素子を覆う部材が増えたときには、発光素子の色度を算出する処理において、式（８）から式（１０）のＴ（λ）に各部材の分光透過率を掛け合わせた数値を代入して、色度を算出してもよい。
【００８８】
図１を参照して説明する。
受付部１３は、部材表面の範囲の指定と、部材表面側から見た指定された範囲の色の要求を受け付ける。そして、抽出部１４は、指定された範囲に光を照射する発光素子の中から、指定された範囲の色の要求に応じて、発光させる発光素子を抽出する。
【００８９】
抽出部１３は、指定範囲に光を照射する発光素子の中から、指定範囲の色が要求に応じた色に近くなるように、発光させる発光素子を探索する。そして、抽出部１３は、発光させる発光素子の数と、各発光素子の位置とを選択することにより、発光させる発行素子を抽出する。指定範囲に光を照射する発光素子とは、例えば、指定範囲に所定の閾値以上の明るさを生じさせる発光素子でもよい。
【００９０】
図４を参照して、受付部１３が部材表面の範囲の指定と、部材表面側から見た指定された範囲の色の要求として、指定された範囲の色度を受け付けたときの、抽出部１３による発光素子の抽出を説明する。また、指定範囲に光を照射する発光素子は、発光素子１１４から１１６であるものとする。
【００９１】
抽出部１４は、受付部１３により、図４に破線で示す指定範囲１７１と、部材表面側から見た指定範囲の色の要求が受け付けられたとき、第１前面部材１７０の分光透過率Ｔｆ（λ）を取得し、式（８）のＴ（λ）に、Ｔｆ（λ）を代入する。
【００９２】
そして、抽出部１４は、素子情報２３に格納されている各発光素子の相対分光分布Ｐ（λ）と、等式関数ｘ（λ）、ｙ（λ）、及びｚ（λ）とを用いて、各発光素子を第１前面部材１７０表面側から見たときの色度を、式（８）から式（１２）を用いて算出する。指定範囲１７１の輝度が指定されているとき、抽出部１４は、指定範囲１７１の輝度が指定の輝度になるように、素子情報２３に含まれる発光素子を選択して、色を算出してもよい
【００９３】
さらに、抽出部１４は、素子情報２３から指定範囲に光を照射する発光素子の指向特性を取得し、各発光素子から照射された光による指定範囲の各位置の色度を算出する。そして、抽出部１４は、発光素子１１４から１１６、発光素子１１４、１１５、発光素子１１４、１１６、及び発光素子１１５、１１６の組合せで発光させたときの指定範囲の各位置の色度を足し合わせ、それぞれ指定範囲１７１全体の色度の平均値を算出する。
【００９４】
抽出部１３は、算出した指定範囲１７１全体の色度の平均値の中から、要求された色度に近い色度を抽出する。そして、抽出部１３は、抽出した色度に対応する発光素子の組合せに含まれる発光素子を、発光させる発光素子として抽出する。以上により、抽出部１３は、指定範囲の色度の要求に応じて、発光させる発光素子を抽出する。
【００９５】
上述の抽出部１４による発光素子の抽出方法は、一例であり、発光素子を抽出できる指標が得られれば、筐体の形状と、発光素子の配置と、発光素子及び部材の光学的特性とを用いて他の方法により抽出してもよい。色の指標は、色度に限定されるものではなく、明度、及び彩度などを用いてもよい。発光素子を覆う部材が増えたときには、各発光素子の色度を算出する処理において、式（８）から式（１０）のＴ（λ）に各部材の分光透過率を掛け合わせた数値を代入して、色度を算出してもよい。
【００９６】
図１を参照して説明する。
調整部１５は、設定部１２により設定された部材表面側から見た発光素子の明るさに応じて、表示装置３０に表示する発光素子の明るさを調整する。また、調整部１５は、明るさの要求に応じて、表示装置３０に表示する発光素子の明るさを調整する。調整部１５は、各発光素子の中心から外側に向かって輝度が低くなるように輝度勾配を持たせ、表示装置３０に表示する発光素子の明るさを調整してもよい。
【００９７】
調整部１５は、設定部１２により設定された部材表面側から見た発光素子の色に応じて、表示装置３０に表示する発光素子の色を調整する。また、調整部１５は、色の要求に応じて、表示装置３０に表示する発光素子の色を調整する。
【００９８】
出力部１６は、調整部１５により調整された明るさで表示装置３０に発光素子を表示させる。また、出力部１６は、抽出部１４により抽出された、要求された指定範囲の明るさに近い発光素子の識別子を、ユーザの要求に応じて出力する。
【００９９】
出力部１６は、調整部１５により調整された色で表示装置３０に発光素子を表示させる。また、出力部１６は、抽出部１４により抽出された、要求された指定範囲の色に近い発光素子の識別子を、ユーザの要求に応じて出力する。
【０１００】
表示装置３０に表示する発光素子の大きさは、予め決められていてもよい。そして、出力部１６は、決められた大きさの発光素子を、調整部１６により調整された均一な輝度及び色度で表示させてもよい。また、出力部１６は、発光素子が明るいほど、発光素子を大きく表示させてもよい。さらに、出力部１６は、指定範囲が明るいほど、指定範囲を大きく表示させてもよい。
【０１０１】
図６、図７は、形状情報及び配置情報に応じた表示処理の一例を示すフローチャートである。図６、図７を参照して、設計支援装置１による表示処理について説明する。以下の説明において、設計支援装置１の記憶部２０には、選択可能な素子の特性を含む素子情報２３と、選択可能な部材の特性を含む部材情報２４とが予め記憶されているものとする。
【０１０２】
図６を参照して説明する。
配置部１１は、設計支援が開始されたか否かを判定する（Ｓ１０１）。配置部１１は、設計支援が開始されていないとき（Ｓ１０１にてＮｏ）、Ｓ１０１の処理を繰り返し実行する。設計支援が開始されるとは、例えば、設計支援装置１が起動されたとき、または設計支援装置１が設計支援の命令の入力を受け付けたときなどのことをいう。
【０１０３】
配置部１１は、設計支援が開始されたとき（Ｓ１０１にてＹｅｓ）、形状情報２１が記憶部２０に記憶されているか否かを判定する（Ｓ１０２）。配置部１１は、形状情報２１が記憶部２０に記憶されていないとき（Ｓ１０２にてＮｏ）、Ｓ１０２の処理を繰り返し実行する。形状情報２１が記憶部２０に記憶されているときとは、記憶部２０に予め形状情報２１が記憶されている、または設計支援装置１の起動後に形状情報２１が入力され、記憶部２０に形状情報２１が記憶されたときなどのことをいう。
【０１０４】
配置部１１は、形状情報２１が記憶部２０に記憶されているとき（Ｓ１０２にてＹｅｓ）、配置情報２２が記憶部２０に記憶されているか否かを判定する（Ｓ１０３）。配置部１１は、配置情報２２が記憶部２０に記憶されていないとき（Ｓ１０３にてＮｏ）、Ｓ１０３の処理を繰り返し実行する。配置情報２２が記憶部２０に記憶されているときとは、記憶部２０に予め配置情報２２が記憶されている、または設計支援装置１の起動後に配置情報２２が入力され、記憶部２０に配置情報２２が記憶されたときなどのことをいう。
【０１０５】
配置部１１は、配置情報２２が記憶部２０に記憶されているとき（Ｓ１０４にてＹｅｓ）、形状情報２１と、配置情報２２とを取得し、発光素子を筐体に配置する。
【０１０６】
設定部１２は、配置部１１が配置した発光素子の中に、部材に覆われた発光素子があるか否かを判定する（Ｓ１０５）。設定部１２は、部材に覆われた発光素子があるとき（Ｓ１０５にてＹｅｓ）、部材に覆われた発光素子の素子識別子を用いて素子情報２３を検索し、部材に覆われた発光素子の特性を取得する（Ｓ１０６）。さらに、配置部１１は、発光素子を覆う部材の部材識別子を用いて部材情報２４を検索し、発光素子を覆う部材の特性を取得する（Ｓ１０７）。
【０１０７】
図７を参照して説明する。
設定部１２は、取得した発光素子の特性と部材の特性とに応じて、部材表面側から見た発光素子の明るさを設定する（Ｓ１０８）。設定部１２は、さらに、取得した発光素子の特性と、部材の特性とに応じて、部材表面側から見た発光素子の色を設定する（Ｓ１０９）。
【０１０８】
設定部１２は、配置部１１が配置した発光素子の中に、部材表面から見た明るさ及び色を設定していない、部材に覆われた他の発光素子があるか否かを判定する（Ｓ１１０）。
設定部１２は、部材に覆われた他の発光素子があるとき（Ｓ１１０にてＹｅｓ）、Ｓ１０６〜Ｓ１１０の処理を繰り返し実行する。
【０１０９】
設定部１２は、部材に覆われた他の発光素子がないとき（Ｓ１１０にてＮｏ）、部材に覆われていない発光素子があるか否かを判定する（Ｓ１１１）。設定部１２は、部材に覆われていない発光素子がないとき（Ｓ１１１にてＮｏ）、調整部１５に調整処理を依頼する。
【０１１０】
調整部１５は、設定部１２により設定された部材表面側から見た発光素子の明るさに応じて、表示装置３０に表示する発光素子の明るさを調整する。また、調整部１５は、調整部１５は、設定部１２により設定された部材表面側から見た発光素子の色に応じて、表示装置３０に表示する発光素子の色を調整する（Ｓ１１２）。
出力部１６は、調整部１５により調整された明るさ及び色に応じて、発光素子を表示装置３０に表示させる（Ｓ１１３）。
【０１１１】
また、Ｓ１０５において、設定部１２は、部材に覆われた発光素子がないとき（Ｓ１０５にてＹｅｓ）、部材に覆われていない発光素子の特性を取得する（Ｓ１１４）。そして、設定部１２は、発光素子の特性に応じて、発光素子の明るさを設定する（Ｓ１１５）。さらに、設定部１２は、発光素子の特性に応じて、発光素子の色を設定する（Ｓ１１６）。
【０１１２】
そして、設定部１２は、調整部１５に調整処理を依頼し、調整部１５によりＳ１１２の調整処理が実行される。なお、Ｓ１１５、Ｓ１１６において、設定部１２は、部材に覆われていない発光素子についての設定なので、発光素子の特性そのものを用いて表示する発光素子の明るさと色とを設定してもよい。
【０１１３】
また、Ｓ１１１において、設定部１２は、部材に覆われていない発光素子があるとき（Ｓ１１１にてＹｅｓ）、Ｓ１１４の処理を実行する。
【０１１４】
図８は、発光素子の明るさの要求に応じた表示処理の一例を示すフローチャートである。図８を参照して、設計支援装置１による表示処理について説明する。以下の説明において、設計支援装置１の記憶部２０には、選択可能な素子の特性を含む素子情報２３と、選択可能な部材の特性を含む部材情報２４とが予め記憶されているものとする。
【０１１５】
受付部１３は、例えば、図４に示す発光素子のいずれかが選択され、遊技機１００を正面から見たときの、発光素子の明るさの要求を受け付けたか否かを判定する（Ｓ２０１）。受付部１３は、発光素子の明るさの要求を受け付けていないとき（Ｓ２０１にてＮｏ）、Ｓ２０１の処理を繰り返し実行する。以下の説明において、遊技機１００を正面から見たときの、発光素子の明るさの要求のことを、単に発光素子の明るさの要求ともいう。
【０１１６】
受付部１３は、例えば、発光素子の明るさの要求を受け付けたとき（Ｓ２０１にてＹｅｓ）、抽出部１４に要求に応じた発光素子の抽出を依頼する。以下の説明では、選択された発光素子のことを単に発光素子ともいう。
【０１１７】
抽出部１４は、選択された発光素子が部材に覆われているか否かを判定する（Ｓ２０２）。抽出部１４は、選択された発光素子が部材に覆われているとき（Ｓ２０２にてＹｅｓ）、部材情報２４から発光素子を覆う部材の特性を取得する（Ｓ２０３）。そして、抽出部１４は、素子情報２３に格納された選択可能な発光素子の特性と、発光素子を覆う部材の特性とを用いて、各発光素子について部材表面側から見た明るさを算出する。これにより、抽出部１４は、発光素子の明るさの要求に応じた発光素子を抽出する（Ｓ２０４）。
【０１１８】
調整部１５は、明るさの要求に応じて、表示装置３０に表示する発光素子の明るさを調整する（Ｓ２０５）。このとき、調整部１５は、Ｓ２０４で抽出された発光素子の明るさに応じて、発光素子を表示装置３０に表示するように調整してもよい。また、調整部１５は、Ｓ２０４または後述するＳ２０７で抽出された発光素子を部材表面側から見たときの明るさに応じて、発光素子を表示装置３０に表示するように調整してもよい。
【０１１９】
そして、出力部１６は、調整部１５により調整された明るさに応じて、発光素子を表示装置３０に表示させる（Ｓ２０６）。また、出力部１６は、ユーザからの要求に応じて、Ｓ２０４またはＳ２０７で抽出した発光素子の素子識別子を出力してもよい。
【０１２０】
Ｓ２０２において、抽出部１４は、選択された発光素子が部材に覆われていないとき（Ｓ２０２にてＮｏ）、発光素子の明るさの要求に応じた発光素子を抽出する（Ｓ２０７）。なお、Ｓ２０７においては、発光素子を覆う部材がないため、部材の特性は考慮しなくてもよい。すなわち、抽出部１４は、素子情報２３に格納された選択可能な発光素子の特性を参照し、発光素子の明るさの要求に応じた発光素子を抽出する。そして、抽出部１４は、Ｓ２０５の処理の実行を調整部１５に依頼する。
【０１２１】
図９は、指定範囲の明るさの要求に応じた表示処理の一例を示すフローチャートである。
図９を参照して、設計支援装置による表示処理について説明する。以下の説明において、設計支援装置１の記憶部２０には、選択可能な素子の特性を含む素子情報２３と、選択可能な部材の特性を含む部材情報２４とが予め記憶されているものとする。
【０１２２】
受付部１３は、例えば、図４に示す遊技機１００の正面図の中から指定範囲が指定され、指定範囲の明るさの要求を受け付けたか否かを判定する（Ｓ３０１）。受付部１３は、指定範囲の明るさの要求を受け付けていないとき（Ｓ３０１にてＮｏ）、Ｓ３０１の処理を繰り返し実行する。一例として、指定範囲は、図４に示す指定範囲１７１のことである。
【０１２３】
受付部１３は、指定範囲の明るさの要求を受け付けたとき（Ｓ３０１にてＹｅｓ）、抽出部１４に要求に応じた発光素子の抽出を依頼する。
抽出部１４は、選択された指定範囲が部材に覆われているか否かを判定する（Ｓ３０２）。抽出部１４は、選択された指定範囲が部材に覆われているとき（Ｓ３０２にてＹｅｓ）、部材情報２４から指定範囲を覆う部材の特性を取得する（Ｓ３０３）。
【０１２４】
抽出部１４は、指定範囲に光を照射する発光素子の特性と、指定範囲を覆う部材の特性とを用いて、各発光素子の部材表面側から見た明るさを算出する。抽出部１４は、１以上の発光素子の明るさを足し合わせて、指定範囲全体の明るさの平均値を算出する。抽出部１４は、算出した指定範囲全体の明るさの平均値の中から、指定範囲の明るさが要求された明るさに近くなるように、発光させる発光素子を探索することにより、発光させる発光素子の組合せを抽出する（Ｓ３０４）。一例として、抽出部１４は、指定範囲１７１が指定されたとき、指定範囲１７１を照射する発光素子１１４から１１６の中から、発光状態にする発光素子と、消灯する発光素子とを選択する。
【０１２５】
調整部１５は、明るさの要求に応じて、表示装置３０に表示する指定範囲の明るさを調整する（Ｓ３０５）。このとき、調整部１５は、Ｓ３０４で抽出された発光素子の明るさに応じて、指定範囲を表示装置３０に表示するように調整してもよい。また、調整部１５は、Ｓ３０４または後述するＳ３０７で抽出された発光素子を部材表面側から見たときの明るさに応じて、指定範囲を表示装置３０に表示するように調整してもよい。
【０１２６】
そして、出力部１６は、調整部１５により調整された明るさに応じて、指定範囲を表示装置３０に表示させる（Ｓ３０６）。また、出力部１６は、ユーザからの要求に応じて、Ｓ３０４またはＳ３０７で抽出した発光素子の素子識別子を出力してもよい。
【０１２７】
Ｓ３０２を参照して説明する。
抽出部１４は、指定された指定範囲が部材に覆われていないとき（Ｓ３０２にてＮｏ）、受付部１３により受け付けられた指定範囲の明るさの要求に応じて、発光させる発光素子の組合せを抽出する（Ｓ３０７）。そして、抽出部１４は、Ｓ３０５の処理の実行を調整部１５に依頼する。
【０１２８】
Ｓ３０４において、抽出部１４は、素子情報２３に格納された選択可能な発光素子の特性を用い、１以上の発光素子の明るさを足し合わせて、指定範囲の明るさが要求された明るさに近くなるように、指定範囲の明るさの要求に応じた発光素子を抽出してもよい。すなわち、抽出部１４は、例えば、指定範囲１７１が指定されたとき、指定範囲１７１を照射する発光素子１１４から１１６の特性を素子情報２３に格納されている各特性に変化させながら、指定範囲の明るさの要求に応じた発光素子を抽出する。このとき、抽出部１４は、さらに、光素子１１４から１１６の中から、発光状態にする発光素子と、消灯する発光素子とを選択してもよい。
【０１２９】
図１０は、発光素子の色の要求に応じた表示処理の一例を示すフローチャートである。図１０を参照して、設計支援装置１による表示処理について説明する。以下の説明において、設計支援装置１の記憶部２０には、選択可能な素子の特性を含む素子情報２３と、選択可能な部材の特性を含む部材情報２４とが予め記憶されているものとする。
【０１３０】
受付部１３は、例えば、図４に示す発光素子のいずれかが選択され、遊技機１００を正面から見たときの、発光素子の色の要求を受け付けたか否かを判定する（Ｓ４０１）。受付部１３は、発光素子の色の要求を受け付けていないとき（Ｓ４０１にてＮｏ）、Ｓ４０１の処理を繰り返し実行する。以下の説明において、遊技機１００を正面から見たときの、発光素子の色の要求のことを、単に発光素子の色の要求ともいう。
【０１３１】
受付部１３は、例えば、発光素子の色の要求を受け付けたとき（Ｓ４０１にてＹｅｓ）、抽出部１４に要求に応じた発光素子の抽出を依頼する。以下の説明では、選択された発光素子のことを単に発光素子ともいう。
【０１３２】
抽出部１４は、選択された発光素子が部材に覆われているか否かを判定する（Ｓ４０２）。抽出部１４は、選択された発光素子が部材に覆われているとき（Ｓ４０２にてＹｅｓ）、部材情報２４から発光素子を覆う部材の特性を取得する（Ｓ４０３）。そして、抽出部１４は、素子情報２３に格納された選択可能な発光素子の特性と、発光素子を覆う部材の特性とを用いて、各発光素子について部材表面側から見た色を算出する。これにより、抽出部１４は、発光素子の色の要求に応じた発光素子を抽出する（Ｓ４０４）。
【０１３３】
調整部１５は、色の要求に応じて、表示装置３０に表示する発光素子の色を調整する（Ｓ４０５）。このとき、調整部１５は、Ｓ４０４で抽出された発光素子の色に応じて、発光素子を表示装置３０に表示するように調整してもよい。また、調整部１５は、Ｓ４０４または後述するＳ４０７で抽出された発光素子を部材表面側から見たときの色に応じて、発光素子を表示装置３０に表示するように調整してもよい。
【０１３４】
そして、出力部１６は、調整部１５により調整された色に応じて、発光素子を表示装置３０に表示させる（Ｓ４０６）。また、出力部１６は、ユーザからの要求に応じて、Ｓ４０４またはＳ４０７で抽出した発光素子の素子識別子を出力してもよい。
【０１３５】
Ｓ４０２において、抽出部１４は、選択された発光素子が部材に覆われていないとき（Ｓ４０２にてＮｏ）、発光素子の色の要求に応じた発光素子を抽出する（Ｓ４０７）。なお、Ｓ４０７においては、部発光素子を覆う部材がないため、部材の特性は考慮しなくてもよい。すなわち、抽出部１４は、素子情報２３に格納された選択可能な発光素子の特性を参照し、発光素子の色の要求に応じた発光素子を抽出する。そして、抽出部１４は、Ｓ４０５の処理を調整部１５に依頼する。
【０１３６】
図１１は、指定範囲の色の要求に応じた表示処理の一例を示すフローチャートである。
図１１を参照して、設計支援装置による表示処理について説明する。以下の説明において、設計支援装置１の記憶部２０には、選択可能な素子の特性を含む素子情報２３と、選択可能な部材の特性を含む部材情報２４とが予め記憶されているものとする。
【０１３７】
受付部１３は、例えば、図４に示す遊技機１００の正面図の中から指定範囲が指定され、指定範囲の色の要求を受け付けたか否かを判定する（Ｓ５０１）。受付部１３は、指定範囲の色の要求を受け付けていないとき（Ｓ５０１にてＮｏ）、Ｓ５０１の処理を繰り返し実行する。一例として、指定範囲とは、図４に示す指定範囲１７１のことである。
【０１３８】
受付部１３は、指定範囲の色の要求を受け付けたとき（Ｓ５０１にてＹｅｓ）、抽出部１４に要求に応じた発光素子の抽出を依頼する。
抽出部１４は、選択された指定範囲が部材に覆われているか否かを判定する（Ｓ５０２）。抽出部１４は、選択された指定範囲が部材に覆われているとき（Ｓ５０２にてＹｅｓ）、部材情報２４から指定範囲を覆う部材の特性を取得する（Ｓ５０３）。
【０１３９】
抽出部１４は、指定範囲に光を照射する発光素子の特性と、指定範囲を覆う部材の特性とを用いて、各発光素子の部材表面側から見た色を算出する。抽出部１４は、１以上の発光素子の色を足し合わせて、指定範囲全体の色の平均値を算出する。抽出部１４は、算出した指定範囲全体の色の平均値の中から、指定範囲の色が要求された色に近くなるように、発光させる発光素子を探索することにより、発光させる発光素子の組合せを抽出する（Ｓ５０４）。一例として、抽出部１４は、指定範囲１７１が指定されたとき、指定範囲１７１を照射する発光素子１１４から１１６の中から、発光状態にする発光素子と、消灯する発光素子とを選択する。
【０１４０】
調整部１５は、色の要求に応じて、表示装置３０に表示する指定範囲の色を調整する（Ｓ５０５）。このとき、調整部１５は、Ｓ５０４で抽出された発光素子の色に応じて、指定範囲を表示装置３０に表示するように調整してもよい。また、調整部１５は、Ｓ５０４または後述するＳ５０７で抽出された発光素子を部材表面側から見たときの色に応じて、指定範囲を表示装置３０に表示するように調整してもよい。
【０１４１】
そして、出力部１６は、調整部１５により調整された色に応じて、指定範囲を表示装置３０に表示させる（Ｓ５０６）。また、出力部１６は、ユーザからの要求に応じて、Ｓ５０４またはＳ５０７で抽出した発光素子の素子識別子を出力してもよい。
【０１４２】
Ｓ５０２を参照して説明する。
抽出部１４は、指定された指定範囲が部材に覆われていないとき（Ｓ５０２にてＮｏ）、受付部１３により受け付けられた指定範囲の色の要求に応じて、発光させる発光素子の組合せを抽出する（Ｓ５０７）。そして、抽出部１４は、Ｓ５０５の処理の実行を調整部１５に依頼する。
【０１４３】
Ｓ５０４において、抽出部１４は、素子情報２３に格納された選択可能な発光素子の特性を用い、１以上の発光素子の色を足し合わせて、指定範囲の色が要求された色に近くなるように、指定範囲の色の要求に応じた発光素子を抽出してもよい。すなわち、抽出部１４は、例えば、指定範囲１７１が指定されたとき、指定範囲１７１を照射する発光素子１１４から１１６の特性を素子情報２３に格納されている各特性に変化させながら、指定範囲の色の要求に応じた発光素子を抽出する。このとき、抽出部１４は、さらに、光素子１１４から１１６の中から、発光状態にする発光素子と、消灯する発光素子とを選択してもよい。
【０１４４】
図１２は、コンピュータ装置の一実施例を示すブロック図である。
図１２を参照して、コンピュータ装置２００の構成について説明する。
【０１４５】
図１２において、コンピュータ装置２００は、制御回路２０１と、記憶装置２０２と、読書装置２０３と、記録媒体２０４と、通信インターフェイス２０５と、入出力インターフェイス２０６と、入力装置２０７と、表示装置２０８とを含む。また、通信インターフェイス２０５は、ネットワーク２０９と接続される。そして、各構成要素は、バス２１０により接続される。設計支援装置１は、コンピュータ装置２００に記載の構成要素の一部または全てを適宜選択して構成することができる。
【０１４６】
制御回路２０１は、コンピュータ装置２００全体の制御をする。そして、制御回路２０１は、例えば、ＣＰＵ（Ｃｅｎｔｒａｌ  Ｐｒｏｃｅｓｓｉｎｇ  Ｕｎｉｔ）、マルチコアＣＰＵ、ＦＰＧＡ（Ｆｉｅｌｄ  Ｐｒｏｇｒａｍｍａｂｌｅ  Ｇａｔｅ  Ａｒｒａｙ）およびＰＬＤ（Ｐｒｏｇｒａｍｍａｂｌｅ  Ｌｏｇｉｃ  Ｄｅｖｉｃｅ）などのプロセッサである。そして、制御回路２０１は、例えば、図１において、制御部１０として機能する。
【０１４７】
記憶装置２０２は、各種データを記憶する。そして、記憶装置２０２は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などのメモリや、ＨＤ（Ｈａｒｄ  Ｄｉｓｋ）などである。記憶装置２０２は、例えば、図１において、記憶部２０として機能する。
【０１４８】
また、ＲＯＭは、ブートプログラムなどのプログラムを記憶している。ＲＡＭは、制御回路２０１のワークエリアとして使用される。ＨＤは、ＯＳ、アプリケーションプログラム、ファームウェアなどのプログラム、および各種データを記憶している。記憶装置２０２は、制御回路２０１を、制御部２０として機能させる設計支援プログラムを記憶してもよい。
【０１４９】
設計支援装置１は、設計支援処理をするとき、記憶装置２０２に記憶されたプログラムをＲＡＭに読み出す。ＲＡＭに読み出されたプログラムを制御回路２０１で実行することにより、設計支援装置１は、配置処理と、設定処理と、受付処理と、抽出処理と、調整処理と、出力処理とのいずれか１以上を含む設計支援処理を実行する。
【０１５０】
なお、上述の各プログラムは、制御回路２０１が通信インターフェイス２０５を介してアクセス可能であれば、ネットワーク２０９上のサーバが有する記憶装置に記憶されていても良い。
【０１５１】
読書装置２０３は、制御回路２０１に制御され、着脱可能な記録媒体２０４のデータのリード／ライトを行なう。そして、読書装置２０３は、例えば、ＦＤＤ（Ｆｌｏｐｐｙ  Ｄｉｓｋ  Ｄｒｉｖｅ）、ＣＤＤ（Ｃｏｍｐａｃｔ  Ｄｉｓｃ  Ｄｒｉｖｅ）、ＤＶＤＤ（Ｄｉｇｉｔａｌ  Ｖｅｒｓａｔｉｌｅ  Ｄｉｓｋ  Ｄｒｉｖｅ）、ＢＤＤ（Ｂｌｕ−ｒａｙ（登録商標）  Ｄｉｓｋ  Ｄｒｉｖｅ）およびＵＳＢ（Ｕｎｉｖｅｒｓａｌ  Ｓｅｒｉａｌ  Ｂｕｓ）などである。
【０１５２】
記録媒体２０４は、各種データを保存する。記録媒体２０４は、例えば、設計支援プログラムを記憶する。さらに、記録媒体２０４は、図１に示す、形状情報２１と、配置情報２２と、素子情報２３と、部材情報２４とを記憶しても良い。そして、記録媒体２０４は、読書装置２０３を介してバス２１０に接続され、制御回路２０１が読書装置２０３を制御することにより、データのリード／ライトが行なわれる。
【０１５３】
また、記録媒体２０４は、例えば、ＳＤメモリーカード（ＳＤ  Ｍｅｍｏｒｙ  Ｃａｒｄ）、ＦＤ（Ｆｌｏｐｐｙ  Ｄｉｓｋ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ（登録商標）  Ｄｉｓｋ）、およびフラッシュメモリなどの非一時的記録媒体である。
【０１５４】
通信インターフェイス２０５は、ネットワーク２０９を介してコンピュータ装置２００と他の装置とを通信可能に接続する。また、通信インターフェイス２０５は、無線ＬＡＮの機能を有するインターフェイス、および近距離無線通信機能を有するインターフェイスを含んでも良い。そして、無線ＬＡＮインターフェイスは、例えば、無線ＬＡＮ規格として、Ｗｉ−Ｆｉ（登録商標）をサポートしても良い。近距離無線インターフェイスは、例えば、近距離無線通信規格として、Ｂｌｕｅｔｏｏｔｈ（登録商標）をサポートしても良い。ＬＡＮは、Ｌｏｃａｌ  Ａｒｅａ  Ｎｅｔｗｏｒｋの略である。
【０１５５】
入出力インターフェイス２０６は、例えば、キーボード、マウス、およびタッチパネルなどの入力装置２０７と接続され、接続された入力装置２０７から各種情報を示す信号が入力されると、バス２１０を介して入力された信号を制御回路２０１に出力する。また、入出力インターフェイス２０６は、制御回路２０１から出力された各種情報を示す信号がバス２１０を介して入力されると、接続された各種装置にその信号を出力する。
入力装置２０７は、例えば、発光素子の選択、指定範囲の指定、発光素子の明るさ及び色の要求、並びに指定範囲の明るさ及び色の要求などを受け付けても良い。
表示装置２０８は、各種情報を表示する。表示装置２０８は、タッチパネルでの入力を受け付けるための情報を表示しても良い。表示装置２０８は、例えば、図１において、表示装置３０として機能する。
また、入出力インターフェイス２０６、入力装置２０７、及び表示装置２０８は、ＧＵＩ（Ｇｒａｐｈｉｃａｌ  Ｕｓｅｒ  Ｉｎｔｅｒｆａｃｅ）として機能してもよい。これにより、コンピュータ装置２００は、タッチパネルやマウスなどによる直感的な操作を受け付ける。
ネットワーク２０９は、例えば、ＬＡＮ、無線通信、またはインターネットなどであり、コンピュータ装置２００と他の装置を通信接続する。
【０１５６】
以上のように、設計支援装置１は、筐体の形状情報２１と、筐体に配置される発光素子の配置情報２２とを取得し、筐体に発光素子を配置する。さらに、設計支援装置１は、発光素子が筐体を構成する部材に覆われるとき、発光素子の特性と部材の特性とに応じて、部材表面側から見た発光素子の明るさを設定する。これにより、設計支援装置１は、ユーザが各発光素子の位置と明るさの設定を入力しなくても、自動的に発光素子を配置し、部材表面側から見た明るさで発光素子を表示するので、発光素子の表示設定の入力を簡略化することができる。
【０１５７】
設計支援装置１は、部材表面側から見た発光素子の明るさの要求を受け付ける。そして、設計支援装置１は、発光素子が筐体を構成する部材に覆われているとき、部材表面側から見た発光素子の明るさの要求を満たす、発光素子を抽出する。これにより、設計支援装置１は、発光素子の明るさの要求を満たす、発光素子の種類をユーザに提示することができる。
【０１５８】
設計支援装置１は、部材表面の範囲の指定と、部材表面側から見た指定された範囲の明るさの要求を受け付ける。設計支援装置１は、指定された範囲に光を照射する発光素子の中から、指定された範囲の明るさの要求に応じて、発光させる発光素子を選択する。これにより、設計支援装置１は、ユーザからの明るさの要求に応じて、自動的に発光させる発光素子を設定することができる。
【０１５９】
設計支援装置１は、筐体の形状情報２１と、筐体に配置される発光素子の配置情報２２とを取得し、筐体に発光素子を配置する。さらに、設計支援装置１は、発光素子が筐体を構成する部材に覆われるとき、発光素子の特性と部材の特性とに応じて、部材表面側から見た発光素子の色を算出する。これにより、設計支援装置１は、ユーザが各発光素子の位置と色の設定を入力しなくても、自動的に発光素子を配置し、部材表面側から見た色で発光素子を表示するので、発光素子の表示設定の入力を簡略化することができる。
【０１６０】
設計支援装置１は、部材表面側から見た発光素子の色の要求を受け付ける。そして、設計支援装置１は、発光素子が筐体を構成する部材に覆われているとき、部材表面側から見た発光素子の色の要求を満たす、発光素子の特性を抽出する。これにより、設計支援装置１は、発光素子の色の要求を満たす、発光素子の種類をユーザに提示することができる。
【０１６１】
設計支援装置１は、部材表面の範囲の指定と、部材表面側から見た指定された範囲の色の要求を受け付ける。設計支援装置１は、指定された範囲に光を照射する発光素子の中から、指定された範囲の色の要求に応じて、発光させる発光素子を選択する。これにより、設計支援装置１は、ユーザからの色の要求に応じて、自動的に発光させる発光素子を設定することができる。
【０１６２】
なお、本実施形態は、以上に述べた実施形態に限定されるものではなく、本実施形態の要旨を逸脱しない範囲内で種々の構成または実施形態を取ることができる。
以上記載した各実施例を含む実施形態に関し、さらに以下の付記を開示する。なお、本発明は、以下の付記に限定されるものではない。
（付記１）
筐体の形状情報と、前記筐体に配置される発光素子の配置情報とを取得し、前記筐体に前記発光素子を配置する配置部と、
前記発光素子が前記筐体を構成する部材に覆われるとき、前記発光素子の特性と前記部材の特性とに応じて、前記部材表面側から見た前記発光素子の明るさを設定する設定部と、
を備えることを特徴とする設計支援装置。
（付記２）
前記設計支援装置は、さらに、
選択可能な発光素子の特性を記憶する記憶部と、
前記部材表面側から見た発光素子の明るさの要求を受け付ける受付部と、
前記受付部が前記部材表面側から見た発光素子の明るさの要求を受け付けたとき、前記記憶部に記憶された前記選択可能な発光素子の特性と前記発光素子を覆う部材の特性とを用いて、各発光素子の前記部材表面側から見た明るさを算出し、前記受付部により受け付けられた前記部材表面側から見た明るさの要求に応じた発光素子を抽出する抽出部と、
を備えることを特徴とする付記１に記載の設計支援装置。
（付記３）
前記受付部は、
前記部材表面の範囲の指定と、前記部材表面側から見た前記指定された範囲の明るさの要求を受け付け、
前記抽出部は、
前記指定された範囲に光を照射する発光素子の中から、前記指定された範囲の明るさの要求に応じて、発光させる発光素子を抽出する
ことを特徴とする付記１または２に記載の設計支援装置。
（付記４）
前記設定部は、
前記発光素子の光学的特性と、前記発光素子と前記部材との距離と、前記部材の透過率とを取得し、前記部材表面側から見た前記発光素子の輝度を算出する
ことを特徴とする付記１から３のいずれか一つに記載の設計支援装置。
（付記５）
前記設計支援装置は、さらに、
前記設定部により設定された前記部材表面側から見た前記発光素子の明るさに応じて、
表示装置に表示する発光素子の明るさを調整する調整部
を備えることを特徴とする付記１から４のいずれか一つに記載の設計支援装置。
（付記６）
前記設計支援装置は、さらに、
前記明るさの要求に応じて、前記筐体と前記発光素子とを表示する表示装置に表示する発光素子の明るさを調整する調整部
を備えることを特徴とする付記２または３のいずれか一つに記載の設計支援装置。
（付記７）
筐体に配置される発光素子の配置情報と、前記筐体の形状情報とを取得し、前記筐体に前記発光素子を配置する配置部と、
前記発光素子が前記筐体を構成する部材に覆われるとき、前記発光素子の特性と前記部材の特性とに応じて、前記部材表面側から見た前記発光素子の色を設定する設定部と、
を備えることを特徴とする設計支援装置。
（付記８）
前記設計支援装置は、さらに、
選択可能な発光素子の特性を記憶する記憶部と、
前記部材表面側から見た発光素子の色の要求を受け付ける受付部と、
前記受付部が前記部材表面側から見た発光素子の色の要求を受け付けたとき、前記記憶部に記憶された前記選択可能な発光素子の特性と前記発光素子を覆う部材の特性とを用いて、各発光素子の前記部材表面側から見た色を算出し、前記受付部により受け付けられた前記部材表面側から見た色の要求に応じた発光素子を抽出する抽出部と、
ことを特徴とする付記７に記載の設計支援装置。
（付記９）
前記受付部は、
前記部材表面の範囲の指定と、前記部材表面側から見た前記指定された範囲の色の要求を受け付け、
前記抽出部は、
前記指定された範囲に光を照射する発光素子の中から、前記指定された範囲の色の要求に応じて、発光させる発光素子を抽出する
ことを特徴とする付記７または８に記載の設計支援装置。
（付記１０）
前記設定部は、
前記発光素子の光学的特性と、前記部材の透過率の波長依存性とを取得し、前記部材表面側から見た前記発光素子の色度を算出する
ことを特徴とする付記７から９のいずれか一つに記載の設計支援装置。
（付記１１）
前記設計支援装置は、さらに、
前記設定部により設定された前記部材表面側から見た前記発光素子の色に応じて、表示装置に表示する発光素子の色を調整する調整部
を備えることを特徴とする付記７から１０のいずれか一つに記載の設計支援装置。
（付記１２）
前記設計支援装置は、さらに、
前記色の要求に応じて、表示装置に表示する発光素子の色を調整する調整部
を備えることを特徴とする付記８または９に記載の設計支援装置。
（付記１３）
プロセッサによって実行される設計支援方法であって、
前記プロセッサは、
筐体の形状情報と、前記筐体に配置される発光素子の配置情報とを取得し、前記筐体に前記発光素子を配置し、
前記発光素子が前記筐体を構成する部材に覆われるとき、前記発光素子の特性と前記部材の特性とに応じて、前記部材表面側から見た前記発光素子の明るさを設定する
ことを特徴とする設計支援方法。
（付記１４）
プロセッサによって実行される設計支援方法であって、
前記プロセッサは、
筐体に配置される発光素子の配置情報と、前記筐体の形状情報とを取得し、前記筐体に発光素子を配置し、
前記発光素子が前記筐体を構成する部材に覆われるとき、前記発光素子の特性と前記部材の特性とに応じて、前記部材表面側から見た前記発光素子の色を設定する
ことを特徴とする設計支援方法。
（付記１５）
プロセッサによって実行される設計支援プログラムであって、
筐体の形状情報と、前記筐体に配置される発光素子の配置情報とを取得し、前記筐体に前記発光素子を配置し、
前記発光素子が前記筐体を構成する部材に覆われるとき、前記発光素子の特性と前記部材の特性とに応じて、前記部材表面側から見た前記発光素子の明るさを設定する
処理をプロセッサに実行させることを特徴とする設計支援プログラム。
（付記１６）
プロセッサによって実行される設計支援プログラムであって、
筐体に配置される発光素子の配置情報と、前記筐体の形状情報とを取得し、前記筐体に発光素子を配置し、
前記発光素子が前記筐体を構成する部材に覆われるとき、前記発光素子の特性と前記部材の特性とに応じて、前記部材表面側から見た前記発光素子の色を設定する
処理をプロセッサに実行させることを特徴とする設計支援プログラム。
【符号の説明】
【０１６３】
１  設計支援装置
１０  制御部
２０  記憶部
３０  表示装置
２００  コンピュータ装置
２０１  制御回路
２０２  記憶装置
２０３  読書装置
２０４  記録媒体
２０５  通信Ｉ/Ｆ
２０６  入出力Ｉ/Ｆ
２０７  入力装置
２０８  表示装置
２０９  ネットワーク
２１０  バス
【図１】
2020009487.tif 000003
【図２】
2020009487.tif 000004
【図３】
2020009487.tif 000005
【図４】
2020009487.tif 000006
【図５】
2020009487.tif 000007
【図６】
2020009487.tif 000008
【図７】
2020009487.tif 000009
【図８】
2020009487.tif 000010
【図９】
2020009487.tif 000011
【図１０】
2020009487.tif 000012
【図１１】
2020009487.tif 000013
【図１２】
2020009487.tif 000014